(57)【要約】      （修正有）【課題】着用時のウエストや足口における食い込みや圧迫感を解消し、しかも１つのショーツで多種多様な体型に対応できる、着用感とサイズ融通性に優れたショーツを提供する。【解決手段】腹部、股部、臀部を覆うことが可能なサイズ融通性を有するショーツであって、前身頃と、後身頃と、前記前身頃と前記後身頃を股部で繋ぐ股布部と、前記前身頃と前記後身頃を脇腹部で繋ぐ左右一対の脇布部と、を備えており、前記前身頃及び前記左右一対の脇布部のそれぞれは、表布部及び裏布部からなり、前記表布部と前記裏布部は、一枚の布が折り返されることによって連続して一体的に形成され、前ウエストラインを折目として互いに重なりあっており、さらに、前記表布部と前記裏布部は、左右一対のダーツ部分で互いに縫着され、かつ、前記前ウエストラインで繋がっているほかは遊離していることを特徴とするサイズ融通性を有するショーツとする。【選択図】図１
2019044311.tif 000002
【特許請求の範囲】
【請求項１】
腹部、股部、臀部を覆うことが可能なサイズ融通性を有するショーツであって、
前身頃と、
後身頃と、
前記前身頃と前記後身頃を股部で繋ぐ股布部と、
前記前身頃と前記後身頃を脇腹部で繋ぐ左右一対の脇布部と、を備えており、
前記前身頃及び前記左右一対の脇布部のそれぞれは、表布部及び裏布部からなり、
前記表布部と前記裏布部は、一枚の布が折り返されることによって連続して一体的に形成され、前ウエストラインを折目として互いに重なりあっており、
さらに、前記表布部と前記裏布部は、左右一対のダーツ部分で互いに縫着され、かつ、前記前ウエストラインで繋がっているほかは遊離している、
ことを特徴とするサイズ融通性を有するショーツ。
【請求項２】
前記左右一対の脇布部は、前記後身頃を構成する布地と連続して一体的に同じ布から形成され、
前記左右一対の脇布部は、左右一対の縫着線で前記前身頃と縫着されるとともに、前記表布部と前記裏布部が重なり合うように前記左右一対のダーツ部分で前記後身頃と縫着されることを特徴とする請求項１に記載のサイズ融通性を有するショーツ。
【請求項３】
前記前身頃、前記股布部、前記後身頃、及び前記脇布部が互いに縫着されることによって左右一対の足口のそれぞれが形成され、前記足口の部分は、正面から見ると輪郭が一致せず交差するようになっていて、かつ交差する部分は縫着されていないで遊離していることを特徴とする請求項１または２に記載のサイズ融通性を有するショーツ。
【発明の詳細な説明】
【技術分野】
【０００１】
本発明は、サイズ融通性を有するショーツに関する。更に詳しくは、ウエストや鼠径部などの着用者の体の各部に食い込まず、１つのショーツで多種多様な体型に対応できるサイズ融通性を有するショーツに関する。
【背景技術】
【０００２】
従来のショーツとしては、図４に示すような形態のものが一般的である。図４（ａ）は正面図、（ｂ）は背面図、（ｃ）は側面図である。この従来のショーツは前身頃及び後身頃とこれらを繋ぐ股布部からなり、少なくとも腹部、股部、臀部を覆うように形成される。足口は略円形になるように形成される。
生地には伸縮性を有するものが使用され、着用時に体にぴったりフィットするように形成される。Ｓ、Ｍ、Ｌ、ＬＬといったサイズ分けがなされて提供される。
【０００３】
しかしながら、従来のショーツは伸縮性が足りない、または、誤ったサイズのショーツを着用することがあるために、着用時にショーツが鼠径部やウエストに食い込み、圧迫感を感じるという問題がある。
加えて、人間の体型は多様であり、ウエストが細い割に足が太く、ウエストのサイズに合わせてショーツを購入すると鼠径部が食い込んでしまうことや、逆に足や臀部が細くてもウエストが太いために足のサイズに合わせてショーツを購入するとウエストラインが食い込んでしまうという問題も生じる。この問題を解消するために多数のサイズをそろえようとすると、製造者や販売者は、多数のサイズの必要性に対応して、サイズ、色、柄等がそれぞれ異なる多数のショーツの在庫を保有しておかねばならず、コストがかさむという弊害があった。
さらに、人間の体型は変化するものであり、妊娠時の体形の変化や体重の増減に伴うウエストやヒップの増減に、それまでのショーツでは対応できなくなって違和感を生じることがあり、その結果、着用者は新たな衣類を購入し、余計な出費を強いられるという問題もある。
【０００４】
上記の問題を解消するものとして、特許文献１には、ショーツの全体を連続して縫い合わせることはせず、足口の縁となる交差点のみを縫い留めて伸縮性を与え、体を圧迫せず食い込みを防ぐ女性用ショーツが記載されている。
しかしながら、このショーツは、足口の縁となる交差点を縫い留めていることで足口の形および周長が固定され、またウエストにはウエスト生地が縫い付けられていることでウエストラインにおいてもその形および周長が固定されるために、多様な体型およびサイズに対応できず、足やウエストにショーツが食い込むおそれがあるという問題点を有する。
【０００５】
特許文献２には、身頃の足挿入穴を大きく開口させることで鼠径部の圧迫感や窮屈感を排除するとともに、下側の縁が足挿入穴の輪郭と連続的に形成されている覆い部を設けることで臀部を安定して包み込める下着および水着が記載されている。
しかしながら、別々に形成された前中心身頃と覆い部を上側の縁で結合させているため、ウエストラインの形および周長が固定され、ウエストにショーツが食い込むおそれがあるという問題点を有する。
【先行技術文献】
【特許文献】
【０００６】
【特許文献１】特開２００２−０３８３０２号公報
【特許文献２】特許第３９２９９１９号公報
【発明の概要】
【発明が解決しようとする課題】
【０００７】
本発明の目的は、上記の問題を解決すべく、一枚の布を折り返して前身頃を一体的に形成し、かつ前ウエストライン及び足口において折り返した布を縫着せず遊離させることによって、着用時のウエストや足口における食い込みや圧迫感を解消し、しかも１つのショーツで多種多様な体型に対応できる、着用感とサイズ融通性に優れたショーツを提供することである。
【課題を解決するための手段】
【０００８】
本発明の請求項１に係る発明は、腹部、股部、臀部を覆うことが可能なサイズ融通性を有するショーツであって、前身頃と、後身頃と、前記前身頃と前記後身頃を股部で繋ぐ股布部と、前記前身頃と前記後身頃を脇腹部で繋ぐ左右一対の脇布部と、を備えており、前記前身頃及び前記左右一対の脇布部のそれぞれは、表布部及び裏布部からなり、前記表布部と前記裏布部は、一枚の布が折り返されることによって連続して一体的に形成され、前ウエストラインを折目として互いに重なりあっており、さらに、前記表布部と前記裏布部は、左右一対のダーツ部分で互いに縫着され、かつ、前記前ウエストラインで繋がっているほかは遊離していることを特徴とするサイズ融通性を有するショーツに関する。
【０００９】
本発明の請求項２に係る発明は、前記左右一対の脇布部は、前記後身頃を構成する布地と連続して一体的に同じ布から形成され、前記左右一対の脇布部は、左右一対の縫着線で前記前身頃と縫着されるとともに、前記表布部と前記裏布部が重なり合うように前記左右一対のダーツ部分で前記後身頃と縫着されることを特徴とする請求項１に記載のサイズ融通性を有するショーツに関する。
【００１０】
本発明の請求項３に係る発明は、前記前身頃、前記股布部、前記後身頃、及び前記脇布部が互いに縫着されることによって左右一対の足口のそれぞれが形成され、前記足口の部分は、正面から見ると輪郭が一致せず交差するようになっていて、かつ交差する部分は縫着されていないで遊離していることを特徴とする請求項１または２に記載のサイズ融通性を有するショーツに関する。
【００１１】
なお、本請求項１−３において、「前」とは着用者の腹部方向を意味し、「後」とは着用者の臀部方向を意味し、「表」とは着用者の肌方向と反対の方向を意味し、「裏」とは着用者の肌方向を意味する。
【発明の効果】
【００１２】
本発明の請求項１に係るサイズ融通性を有するショーツによれば、前身頃及び左右一対の脇布部のそれぞれは、表布部及び裏布部からなり、前ウエストラインが表布部と裏布部を形成する一枚の布の折目のみによって形成され、ゴム紐等によって固定されておらず、かつ、表布部と裏布部が左右のダーツ部分及び前ウエストライン以外の部分では遊離しているため、互いに独立して縦横に伸縮することにより、本発明に係るサイズ融通性を有するショーツの前ウエストラインが体型やサイズによって上下に変化することが可能になる。このように前ウエストラインが変化することによって、１つのショーツでより幅広いサイズのウエストに対応することが可能になり、サイズ融通性が高まる。
さらに、前ウエストラインは、表布部と裏布部を形成する一枚の布の折目のみによって形成されているので、前ウエストラインにゴム紐等を設けないことで着用者のウエストが締め付けられず、食い込みが生じないため着心地が良くなるという効果も奏する。
加えて、サイズ融通性を有するショーツがウエストに食い込まないことにより、ショーツが体に食い込むことによって生じる肉の段差がなくなり、体を美しく整えることができる。
【００１３】
本発明の請求項２に係るサイズ融通性を有するショーツによれば、左右一対の脇布部は、後身頃を構成する布地と連続して一体的に同じ布から形成され、左右一対の縫着線で前身頃と縫着されるとともに、表布部と裏布部が重なり合うように左右一対のダーツ部分で後身頃と縫着されることにより、表布部と裏布部が重なり合い、着用時には互いに独立して縦横に伸縮することでサイズ融通性が高まる。
加えて、上述のように脇布部が前身頃の形を整える効果を持つことにより、前身頃が腹部を安定して包み込めるため、着用感の向上が可能となる。
【００１４】
本発明の請求項３に係るサイズ融通性を有するショーツによれば、左右一対の足口のそれぞれは、前身頃、股布部、後身頃、及び脇布部が互いに縫着されることによって形成されることにより、足口が広くなるという効果を奏する。
さらに、足口の部分が正面から見ると輪郭が一致せず交差するようになっていて、かつ交差する部分は縫着されていないで遊離していることにより、着用時における縦方向の伸縮と横方向の伸縮が互いに規制し合うことがないため、足口が伸びて鼠径部に食い込まないという効果を奏する。このため１つのショーツでより幅広い足および鼠径部のサイズに対応することが可能になり、サイズ融通性が高まる。
加えて、サイズ融通性を有するショーツが鼠径部に食い込まないことにより、ショーツが体に食い込むことによって生じる肉の段差がなくなり、体を美しく整えることができる。
【００１５】
上記のように、本発明のサイズ融通性を有するショーツによれば、ウエストや足口のサイズ融通性が向上することによって、１つのショーツのサイズで多数の着用者の多種多様な体型に対応することが可能である。それによって、製造者や販売者はショーツの在庫を減らすことが可能になり、コスト削減につながる。加えて、多サイズを製造する必要がなくなることから、製造工程を簡略化でき、量産にも容易に対応することが可能になる。
さらに、一人の着用者の体型が妊娠等によって急激に変化することがあっても１つのショーツのサイズで対応することが可能である。着用者は体型の変化に応じてショーツを買いなおす必要がなくなるため、出費を抑えられる。
【図面の簡単な説明】
【００１６】
【図１】図１（ａ）は、本発明に係るサイズ融通性を有するショーツの正面図であり、（ｂ）は同背面図であり、（ｃ）は同側面図である。
【図２】図２は、本発明に係るサイズ融通性を有するショーツの表布部と裏布部を大きく遊離させた状態の図である。
【図３】図３（ａ）（ｂ）（ｃ）は、異なる体型を有する人々が本発明に係るサイズ融通性を有するショーツを着用した図である。
【図４】図４（ａ）は、従来のショーツの正面図であり、（ｂ）は同背面図であり、（ｃ）は同側面図である。
【図５】図５は、従来のショーツを着用した図である。
【発明を実施するための形態】
【００１７】
本明細書における用語は以下の通りである。
「前」とは着用者の腹部方向、
「後」とは着用者の臀部方向、
「上」とは着用者の肩方向、
「下」とは着用者の足方向、
「縦」とは着用者の丈方向、
「横」とは着用者の身幅方向、
「表」とは着用者の肌方向と反対の方向、
「裏」とは着用者の肌方向、
「脇側」とは着用者の脇方向の領域、
をそれぞれ意味する。
【００１８】
以下、本発明に係るサイズ融通性を有するショーツの好適な実施形態について、適宜図面を参照しつつ説明する。以下の実施形態は例示であって本発明に係るサイズ融通性を有するショーツを限定しない。
【００１９】
図１（ａ）は、本発明に係るサイズ融通性を有するショーツ（１）の正面図であり、（ｂ）は同背面図であり、（ｃ）は同側面図である。左右同一の部材については一部符号を割愛している。
図1で示すように、本発明に係るサイズ融通性を有するショーツ（１）は前身頃（２）、後身頃（３）、股布部（４）、及び左右一対の脇布部（５）から構成されている。
前身頃（２）と脇布部（５）は重なり合う表布部（６）と裏布部（７）から構成されており、表布部（６）と裏布部（７）は前ウエストライン（８１）を折目として、一枚の布が折り返されることによって連続して形成されている。表布部（６）の下縁部（１２）は前ウエストライン（８１）と略平行になるように形成される。
前身頃（２）は左右一対の縫着線（１０）で脇布部（５）に縫着される。縫着線（１０）はそれぞれ、表布部（６）の下縁部（１２）から前ウエストライン（８１）を通って裏布部の足口（１１）まで連続して設けられている。縫着線（１０）は限定されず、例えば、前ウエストライン（８１）で屈曲する折線状であってもよく、緩やかに湾曲する曲線状であってもよい。
脇布部（５）は、表布部（６）及び裏布部（７）から構成され、左右一対のダーツ部分（９）において後身頃（３）に縫着される。ダーツ部分（９）は後身頃（３）と脇布部（５）の境界線となるサイズ融通性を有するショーツ（１）の左右両側部に設けられ、前ウエストライン（８１）から足口（１１）までは到達しない長さで縦方向に設けられている。
表布部（６）と裏布部（７）は前ウエストライン（８１）及びダーツ部分（９）のみで繋がっており、他の部分では縫着されず遊離している。このため、足口の部分を正面から見ると輪郭が一致せず交差するようになっているが、交差する部分も縫着されず遊離している。
【００２０】
股布部（４）は前身頃（２）の裏布部（７）及び後身頃（３）と縫着されており、股部を覆う。
後身頃（３）は左右一対の脇布部（５）及び股布部（４）と縫着されており、臀部を覆う。
前ウエストライン（８１）は、表布部と裏布部を繋ぐ折目によって形成されているので、ゴム紐等を設けないが、後ウエストライン（８２）にはゴム紐等を設けてもよい。前ウエストライン（８１）の位置が固定されない効果を保ったまま、サイズ融通性を有するショーツ（１）を背部および臀部に沿わせてフィット性を高めることができる。
【００２１】
表布部（６）の下縁部（１２）から後身頃（３）の足口（１１）の部分においても、ゴム紐等を設けてもよい。表布部（６）と裏布部（７）が互いに独立して縦横に伸縮する効果を保ったまま、サイズ融通性を有するショーツ（１）のフィット性を高めることができる。
【００２２】
本発明に係るサイズ融通性を有するショーツ（１）は、縦横に伸縮するストレッチ素材からなり、その素材としては、限定されないが、例えばベア天竺やトリコットが挙げられる。
ストレッチ素材のなかでも、特に綿混素材のものが好適に使用される。綿混素材は肌への刺激が少ないため着用感を向上させることができる。
【００２３】
図２は本発明に係るサイズ融通性を有するショーツ（１）の図であって、表布部（６）と裏布部（７）が大きく遊離していることを示す。
図２で示すように、表布部（６）と裏布部（７）が前ウエストライン（８１）および左右のダーツ部分（９）のみで一体化しており、他の部分においては遊離している。前ウエストライン（８１）には、ショーツを体に密着させて固定させるために通常使用されるゴム紐等の部材は配置されない。縫着線（１０）では表布部（６）と裏布部（７）は縫着されない。
このため、着用時に、縦方向の伸縮と横方向の伸縮が互いに規制し合うことなく、独立して伸縮可能であるため、着用者の体型に応じて前ウエストライン（８１）の位置を変化させ、足口（１１）を伸縮させることが可能になる。
【００２４】
図３（ａ）は太りすぎず痩せすぎていない普通の体型の人が本発明に係るサイズ融通性を有するショーツ（１）を着用した図である。
これに対し、図３（ｂ）はウエストが太い人が本発明に係るサイズ融通性を有するショーツ（１）を着用した図である。本発明に係るサイズ融通性を有するショーツ（１）は表布部（６）と裏布部（７）が互いに規制し合うことなく独立して伸縮する。このため、ウエストが太い人がサイズ融通性を有するショーツ（１）を着用した際には、普通の体型の着用者がサイズ融通性を有するショーツ（１）を着用した場合とは異なる位置で、表布部（６）と裏布部（７）の折目が形成される。したがって、体型に応じてウエストが太い着用者の前ウエストライン（８１１）が新たに形成される。
このように、本発明に係るサイズ融通性を有するショーツ（１）は、着用時には着用者のウエストのサイズおよび体型に応じて前ウエストライン（８１）の位置が変化し、ウエストに食い込まず、太いウエストに対しても柔軟に対応できる。
図３（ｃ）は臀部が大きく、足が太い人が本発明に係るサイズ融通性を有するショーツ（１）を着用した図である。図３（ａ）に比して足口（１１）が伸張している。本発明に係るサイズ融通性を有するショーツ（１）は、足口（１１）が広く開口され、略円形に固定されておらず、表布部（６）と裏布部（７）が互いに規制し合うことなく独立して伸縮する。そのため、着用時には着用者の足のサイズおよび体型に応じて足口（１１）が伸縮し、サイズ融通性を有するショーツ（１）が鼠径部に食い込まず、大きな臀部および足に対しても柔軟に対応できる。
【００２５】
足口（１１）はゴム紐等を設けずともよい。この場合、サイズ融通性を有するショーツ（１）が足口（１１）に食い込まない効果を更に増すことができる。
一方で、足口（１１）には一定の幅を有するレース等を設けてもよい。レースがサイズ融通性を有するショーツ（１）を足口（１１）に食い込ませないので、サイズ融通性を有するショーツ（１）から肉がはみ出たように盛り上がって見える段差が生じることを防ぎ、着用時の姿を美しく整えることができる。
【００２６】
一方、以下の図４および図５には本発明の比較例として、前ウエストライン及び足口が固定（拘束）されたショーツが示されている。
図４（ａ）は、従来のショーツの正面図であり、（ｂ）は同背面図であり、（ｃ）は同側面図である。図４が示すように、前身頃（２）及び後身頃（３）とこれらを繋ぐ股布部（４）からなり、前後ウエストライン（８１・８２）および足口（１１）は略円形になるように形成される。伸縮性を有するストレッチ素材等で体にフィットさせるように製造されることが多い。
前ウエストライン（８１）にもゴム紐等が設けられ、前ウエストライン（８１）の形および周長を固定しているために、多様な体型およびサイズに対応できず、ウエストへの食い込みを生じさせることがある。
同様に、足口（１１）が略円形になるように形成され形および周長が固定されているために、多様な体型およびサイズに対応できず、鼠径部への食い込みを生じさせることがある。
特に、ウエストに比して足が太かったり、臀部に比してウエストが太かったりする等、不均等な体型である場合、体の一部ではフィットしていても他の部分では食い込みが生じ、不快な着用感を生じさせることが多い。
【００２７】
図５は従来のショーツを着用した図である。臀部、腹部、股部が覆われている。従来、ショーツの生地にはストレッチ素材等が多く使用され、着用時にはショーツは体にぴったりフィットするように形成される。
しかしながら、生地の伸縮性のみではサイズ融通性を高めるには不十分である。上述したように、前後ウエストライン（８１・８２）および足口（１１）の形および周長が固定され、かつ、着用時にショーツが縦方向にも横方向にも伸張しあう構造となっているが、縦方向にも横方向にも伸縮しきれず、ショーツが着用者の体に食い込んでいる。
【産業上の利用可能性】
【００２８】
上記の図４および図５の従来のショーツと比較して、本発明に係るサイズ融通性を有するショーツによれば、着用時にウエストおよび足口の食い込みを解消して優れた着用感を有し、前ウエストラインの位置の変化および足口の伸縮により多種多様な体型に対応するサイズ融通性を有するショーツを提供することができる。
一枚のサイズ融通性を有するショーツで人によって異なる様々な体型に対応でき、かつ、妊娠等の体型の変化にも対応できるため、多サイズを製造および保有しておく必要がなく、このため生産者や販売者の生産性が向上し、さらに、在庫管理を容易に行えるようになる。
【符号の説明】
【００２９】
１・・・サイズ融通性を有するショーツ
２・・・前身頃
３・・・後身頃
４・・・股布部
５・・・脇布部
６・・・表布部
７・・・裏布部
８１・・・前ウエストライン
８１１・・・ウエストが太い着用者の前ウエストライン
８２・・・後ウエストライン
９・・・ダーツ部分
１０・・・縫着線
１１・・・足口
１２・・・下縁部
【図１】
2019044311.tif 000003
【図２】
2019044311.tif 000004
【図３】
2019044311.tif 000005
【図４】
2019044311.tif 000006
【図５】
2019044311.tif 000007
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
腹部、股部、臀部を覆うことが可能なサイズ融通性を有するショーツであって、
前身頃と、
後身頃と、
前記前身頃と前記後身頃を股部で繋ぐ股布部と、
前記前身頃と前記後身頃を脇腹部で繋ぐ左右一対の脇布部と、を備えており、
前記前身頃及び前記左右一対の脇布部のそれぞれは、表布部及び裏布部からなり、
前記表布部と前記裏布部は、一枚の布が折り返されることによって連続して一体的に形成され、前ウエストラインを折目として互いに重なりあっており、
さらに、前記表布部と前記裏布部は、左右一対のダーツ部分で互いに縫着され、かつ、前記前ウエストラインで繋がっているほかは遊離している、
ことを特徴とするサイズ融通性を有するショーツ。
【請求項２】
前記左右一対の脇布部は、前記後身頃を構成する布地と連続して一体的に同じ布から形成され、
前記左右一対の脇布部は、左右一対の縫着線で前記前身頃と縫着されるとともに、前記表布部と前記裏布部が重なり合うように前記左右一対のダーツ部分で前記後身頃と縫着されることを特徴とする請求項１に記載のサイズ融通性を有するショーツ。
【請求項３】
前記前身頃、前記股布部、前記後身頃、及び前記脇布部が互いに縫着されることによって左右一対の足口のそれぞれが形成され、前記足口の部分を正面から見ると、前記表布部および前記裏布部における足口を構成する部分の輪郭が一致せず交差するようになっていて、かつこれら前記表布部および前記裏布部における足口を構成する部分が交差する部分は縫着されていないで遊離していることを特徴とする請求項１または２に記載のサイズ融通性を有するショーツ。
【手続補正２】
【補正対象書類名】明細書
【補正対象項目名】００１０
【補正方法】変更
【補正の内容】
【００１０】
本発明の請求項３に係る発明は、前記前身頃、前記股布部、前記後身頃、及び前記脇布部が互いに縫着されることによって左右一対の足口のそれぞれが形成され、前記足口の部分を正面から見ると、前記表布部および前記裏布部における足口を構成する部分の輪郭が一致せず交差するようになっていて、かつこれら前記表布部および前記裏布部における足口を構成する部分が交差する部分は縫着されていないで遊離していることを特徴とする請求項１または２に記載のサイズ融通性を有するショーツに関する。
【手続補正３】
【補正対象書類名】明細書
【補正対象項目名】００１４
【補正方法】変更
【補正の内容】
【００１４】
本発明の請求項３に係るサイズ融通性を有するショーツによれば、左右一対の足口のそれぞれは、前身頃、股布部、後身頃、及び脇布部が互いに縫着されることによって形成されることにより、足口が広くなるという効果を奏する。
さらに、足口の部分を正面から見ると表布部および裏布部における足口を構成する部分の輪郭が一致せず交差するようになっていて、かつこれら表布部および裏布部における足口を構成する部分が交差する部分は縫着されていないで遊離していることにより、着用時における縦方向の伸縮と横方向の伸縮が互いに規制し合うことがないため、足口が伸びて鼠径部に食い込まないという効果を奏する。このため１つのショーツでより幅広い足および鼠径部のサイズに対応することが可能になり、サイズ融通性が高まる。
加えて、サイズ融通性を有するショーツが鼠径部に食い込まないことにより、ショーツが体に食い込むことによって生じる肉の段差がなくなり、体を美しく整えることができる。
【手続補正４】
【補正対象書類名】明細書
【補正対象項目名】００１９
【補正方法】変更
【補正の内容】
【００１９】
図１（ａ）は、本発明に係るサイズ融通性を有するショーツ（１）の正面図であり、（ｂ）は同背面図であり、（ｃ）は同側面図である。左右同一の部材については一部符号を割愛している。
図1で示すように、本発明に係るサイズ融通性を有するショーツ（１）は前身頃（２）、後身頃（３）、股布部（４）、及び左右一対の脇布部（５）から構成されている。
前身頃（２）と脇布部（５）は重なり合う表布部（６）と裏布部（７）から構成されており、表布部（６）と裏布部（７）は前ウエストライン（８１）を折目として、一枚の布が折り返されることによって連続して形成されている。表布部（６）の下縁部（１２）は前ウエストライン（８１）と略平行になるように形成される。
前身頃（２）は左右一対の縫着線（１０）で脇布部（５）に縫着される。縫着線（１０）はそれぞれ、表布部（６）の下縁部（１２）から前ウエストライン（８１）を通って裏布部の足口（１１）まで連続して設けられている。縫着線（１０）は限定されず、例えば、前ウエストライン（８１）で屈曲する折線状であってもよく、緩やかに湾曲する曲線状であってもよい。
脇布部（５）は、表布部（６）及び裏布部（７）から構成され、左右一対のダーツ部分（９）において後身頃（３）に縫着される。ダーツ部分（９）は後身頃（３）と脇布部（５）の境界線となるサイズ融通性を有するショーツ（１）の左右両側部に設けられ、前ウエストライン（８１）から足口（１１）までは到達しない長さで縦方向に設けられている。
表布部（６）と裏布部（７）は前ウエストライン（８１）及びダーツ部分（９）のみで繋がっており、他の部分では縫着されず遊離している。このため、図１（ａ）に示されるように、足口の部分を正面から見ると表布部（６）および裏布部（７）における足口を構成する部分の輪郭が一致せず交差するようになっているが、これら表布部（６）および裏布部（７）における足口を構成する部分が交差する部分も縫着されず遊離している。